(57)【要約】【課題】この発明は、簡易な構成でＹ軸横方向ミスコンバージェンスＹＨを実用上十分なレベルにまで補正することを可能とした偏向ヨーク装置を提供することを目的とする。また、この発明は、上記した偏向ヨーク装置を用いて画質の向上を図るようにしたテレビジョン受信装置を提供することを目的とする。【解決手段】コア２０に、垂直偏向用の主コイル２５ａ，２６ａの他に、垂直偏向作用を有する副コイル２５ｂ，２６ｂを巻回し、主コイル２５ａ，２６ａに供給される偏向電流を、相互に逆向きに並列接続されたダイオードＤ１，Ｄ２を介して副コイル２５ｂ，２６ｂに供給する。【選択図】    図３
2004363047.tif 000002
【特許請求の範囲】
【請求項１】
画面上における垂直横方向ミスコンバージェンスを補正するための第１及び第２のコマコイルと、
コアに巻回され前記第１及び第２のコマコイルが発生する磁界を通過した電子ビームを垂直方向に偏向する第１及び第２の主コイルと、
前記コアに巻回され前記第１及び第２のコマコイルが発生する磁界を通過した電子ビームを垂直方向に偏向する第１及び第２の副コイルと、
前記第１及び第２の主コイルに鋸歯状の偏向電流を流す第１の偏向電流供給手段と、
この第１の偏向電流供給手段によって前記第１及び第２の主コイルに供給される偏向電流を、相互に逆向きに並列接続された第１及び第２のダイオードを介して、前記第１及び第２の副コイルに供給する第２の偏向電流供給手段とを具備したことを特徴とする偏向ヨーク装置。
【請求項２】
前記第１の偏向電流供給手段は、所定の電圧が印加される第１及び第２の端子間に前記第１及び第２の主コイルを接続するように構成され、
前記第２の偏向電流供給手段は、前記第１及び第２の端子間に、前記第１の副コイル、前記第１及び第２のダイオードの並列回路及び前記第２の副コイルの直列回路と抵抗とを並列に接続するように構成されることを特徴とする請求項１記載の偏向ヨーク装置。
【請求項３】
画面上における垂直横方向ミスコンバージェンスを補正するための第１及び第２のコマコイルと、
コアに巻回され前記第１及び第２のコマコイルが発生する磁界を通過した電子ビームを垂直方向に偏向する第１及び第２の主コイルと、
この第１及び第２の主コイルと連続する導線によって前記コアに巻回され、前記第１及び第２のコマコイルが発生する磁界を通過した電子ビームを垂直方向に偏向する第１及び第２の副コイルと、
前記第１及び第２の主コイルに鋸歯状の偏向電流を流す第１の偏向電流供給手段と、
この第１の偏向電流供給手段によって前記第１及び第２の主コイルに供給される偏向電流を、相互に逆向きに並列接続された第１及び第２のダイオードを介して、前記第１及び第２の副コイルに供給する第２の偏向電流供給手段とを具備したことを特徴とする偏向ヨーク装置。
【請求項４】
前記第１の主コイル及び前記第１の副コイルは、前記第１の副コイルの巻き終わり端と前記第１の主コイルの巻き始め端とが連続するように前記コアに巻回され、前記第２の主コイル及び前記第２の副コイルは、前記第２の副コイルの巻き終わり端と前記第２の主コイルの巻き始め端とが連続するように前記コアに巻回されることを特徴とする請求項３記載の偏向ヨーク装置。
【請求項５】
前記第１の主コイル及び前記第１の副コイルは、前記第１の主コイルの巻き終わり端と前記第１の副コイルの巻き始め端とが連続するように前記コアに巻回され、前記第２の主コイル及び前記第２の副コイルは、前記第２の主コイルの巻き終わり端と前記第２の副コイルの巻き始め端とが連続するように前記コアに巻回されることを特徴とする請求項３記載の偏向ヨーク装置。
【請求項６】
前記第１の偏向電流供給手段は、所定の電圧が印加される第１及び第２の端子間に前記第１及び第２の主コイルを直列接続するように構成され、
前記第２の偏向電流供給手段は、前記第１及び第２の主コイル間に、前記第１の副コイル、前記第１及び第２のダイオードの並列回路及び前記第２の副コイルの直列回路と抵抗とを並列に接続するように構成されることを特徴とする請求項３乃至５いずれかに記載の偏向ヨーク装置。
【請求項７】
前記第１の主コイル及び前記第１の副コイルは、それぞれ、前記コアの画面上で垂直方向の上側に対応する部分に巻回され、前記第２の主コイル及び前記第２の副コイルは、それぞれ、前記コアの画面上で垂直方向の下側に対応する部分に巻回されることを特徴とする請求項１乃至６いずれかに記載の偏向ヨーク装置。
【請求項８】
前記第１及び第２の副コイルは、それぞれ、前記コアの画面上を水平方向に２分する垂直軸に対応する部分に巻回されることを特徴とする請求項１乃至７いずれかに記載の偏向ヨーク装置。
【請求項９】
前記第１及び第２の副コイルは、前記第１及び第２の主コイルが巻回された上から巻回されることを特徴とする請求項１乃至８いずれかに記載の偏向ヨーク装置。
【請求項１０】
前記第１及び第２の主コイルは、前記第１及び第２の副コイルが巻回された上から巻回されることを特徴とする請求項１乃至８いずれかに記載の偏向ヨーク装置。
【請求項１１】
テレビジョン放送信号を受信する受信手段と、
この受信手段で受信されたテレビジョン放送信号から映像信号を生成する信号処理手段と、
前記受信手段で受信されたテレビジョン放送信号から偏向電流を生成する偏向電流生成手段と、
この偏向電流生成手段で生成された偏向電流によって電子ビームを偏向する磁界を発生させる偏向ヨーク部と、
この偏向ヨーク部によって発生された磁界で電子ビームを偏向することにより、前記信号処理手段で生成された映像信号を映像表示する表示手段とを具備し、
前記偏向ヨーク部は、
画面上における垂直横方向ミスコンバージェンスを補正するための第１及び第２のコマコイルと、
コアに巻回され前記第１及び第２のコマコイルが発生する磁界を通過した電子ビームを垂直方向に偏向する第１及び第２の主コイルと、
前記コアに巻回され前記第１及び第２のコマコイルが発生する磁界を通過した電子ビームを垂直方向に偏向する第１及び第２の副コイルと、
前記第１及び第２の主コイルに鋸歯状の偏向電流を流す第１の偏向電流供給手段と、
この第１の偏向電流供給手段によって前記第１及び第２の主コイルに供給される偏向電流を、相互に逆向きに並列接続された第１及び第２のダイオードを介して、前記第１及び第２の副コイルに供給する第２の偏向電流供給手段とを備えたことを特徴とするテレビジョン受信装置。
【請求項１２】
テレビジョン放送信号を受信する受信手段と、
この受信手段で受信されたテレビジョン放送信号から映像信号を生成する信号処理手段と、
前記受信手段で受信されたテレビジョン放送信号から偏向電流を生成する偏向電流生成手段と、
この偏向電流生成手段で生成された偏向電流によって電子ビームを偏向する磁界を発生させる偏向ヨーク部と、
この偏向ヨーク部によって発生された磁界で電子ビームを偏向することにより、前記信号処理手段で生成された映像信号を映像表示する表示手段とを具備し、
前記偏向ヨーク部は、
画面上における垂直横方向ミスコンバージェンスを補正するための第１及び第２のコマコイルと、
コアに巻回され前記第１及び第２のコマコイルが発生する磁界を通過した電子ビームを垂直方向に偏向する第１及び第２の主コイルと、
この第１及び第２の主コイルと連続する導線によって前記コアに巻回され、前記第１及び第２のコマコイルが発生する磁界を通過した電子ビームを垂直方向に偏向する第１及び第２の副コイルと、
前記第１及び第２の主コイルに鋸歯状の偏向電流を流す第１の偏向電流供給手段と、
この第１の偏向電流供給手段によって前記第１及び第２の主コイルに供給される偏向電流を、相互に逆向きに並列接続された第１及び第２のダイオードを介して、前記第１及び第２の副コイルに供給する第２の偏向電流供給手段とを備えたことを特徴とするテレビジョン受信装置。
【発明の詳細な説明】
【０００１】
【発明の属する技術分野】
この発明は、例えばカラーテレビジョン受信機やカラーディスプレイ装置等の陰極線管に使用される偏向ヨーク装置の改良に関する。また、この発明は、上記の偏向ヨーク装置を用いたテレビジョン受信装置に関する。
【０００２】
【従来の技術】
周知のように、首記の如き偏向ヨーク装置は、電子銃から発射される３原色に対応した各電子ビームＲ（Ｒｅｄ），Ｇ（Ｇｒｅｅｎ），Ｂ（Ｂｌｕｅ）に対して、水平方向及び垂直方向の偏向を加えることにより、各電子ビームＲ，Ｇ，Ｂが蛍光面上を一定の経路に沿って走査するように制御している。
【０００３】
この偏向ヨーク装置は、略喇叭状に形成されたセパレータを備え、その内側に設置された水平偏向コイルと、外側に設置された垂直偏向コイルとに、それぞれ水平及び垂直周期に同期した鋸歯状の偏向電流を流して磁界を発生させ、この磁界によって各電子ビームＲ，Ｇ，Ｂに偏向を与えている。
【０００４】
ところで、この種の偏向ヨーク装置においては、画面上で垂直方向をＹ軸とした場合、電子ビームＲ，ＢがＹ軸を挟んで横方向に位置ずれを生じるＹ軸（垂直）横方向ミスコンバージェンスＹＨ（Ｈｏｒｉｚｏｎｔａｌ）と、電子ビームＲ，Ｂに対して電子ビームＧが縦方向に位置ずれを生じるＹ軸（垂直）縦方向ミスコンバージェンスＶＣＲ（Ｖｅｒｔｉｃａｌ  Ｃｏｎｖｅｒｇｅｎｃｅ  Ｒａｔｉｏ）とが発生する。
【０００５】
このため、一般に、偏向ヨーク装置には、３種類の電子ビームＲ，Ｇ，Ｂの蛍光面上における位置ずれを補正するためにコマコイルが設けられる。このコマコイルとしては、Ｙ軸横方向ミスコンバージェンスＹＨを補正するためのＹＨコイルと、Ｙ軸縦方向ミスコンバージェンスＶＣＲを補正するためのＶＣＲコイルとがある。
【０００６】
しかしながら、実際には、垂直帰線期間にＹＨコイルに逆電流が誘導されることによって引き起こされる電流の波形崩れが原因で、Ｙ軸横方向ミスコンバージェンスＹＨを実用上十分なレベルにまで補正することが困難になっており、その結果、画質の劣化を招いているという問題が生じている。
【０００７】
特許文献１乃至４には、それぞれ、Ｙ軸横方向ミスコンバージェンスＹＨを補正するための構成が開示されている。ところが、これら特許文献１乃至４には、いずれも、Ｙ軸横方向ミスコンバージェンスＹＨを補正するためのＹＨコイルに対して、垂直帰線期間に逆電流が誘導されることによる画質劣化に対処することについては、何らの記載もなされていないものである。
【０００８】
【特許文献１】
特開平１１−１６７８８４号公報
【０００９】
【特許文献２】
特開平７−１９３８３１号公報
【００１０】
【特許文献３】
特開２００１−１０１９８３号公報
【００１１】
【特許文献４】
特開２０００−４１２６４号公報
【００１２】
【発明が解決しようとする課題】
そこで、この発明は上記事情を考慮してなされたもので、簡易な構成でＹ軸横方向ミスコンバージェンスＹＨを実用上十分なレベルにまで補正することを可能とした偏向ヨーク装置を提供することを目的とする。また、この発明は、上記した偏向ヨーク装置を用いて画質の向上を図るようにしたテレビジョン受信装置を提供することを目的とする。
【００１３】
【課題を解決するための手段】
この発明に係る偏向ヨーク装置は、画面上における垂直横方向ミスコンバージェンスを補正するための第１及び第２のコマコイルと、コアに巻回され第１及び第２のコマコイルが発生する磁界を通過した電子ビームを垂直方向に偏向する第１及び第２の主コイルと、コアに巻回され第１及び第２のコマコイルが発生する磁界を通過した電子ビームを垂直方向に偏向する第１及び第２の副コイルと、第１及び第２の主コイルに鋸歯状の偏向電流を流す第１の偏向電流供給手段と、この第１の偏向電流供給手段によって第１及び第２の主コイルに供給される偏向電流を、相互に逆向きに並列接続された第１及び第２のダイオードを介して第１及び第２の副コイルに供給する第２の偏向電流供給手段とを備えるようにしたものである。
【００１４】
また、この発明に係るテレビジョン受信装置は、テレビジョン放送信号を受信する受信手段と、この受信手段で受信されたテレビジョン放送信号から映像信号を生成する信号処理手段と、受信手段で受信されたテレビジョン放送信号から偏向電流を生成する偏向電流生成手段と、この偏向電流生成手段で生成された偏向電流によって電子ビームを偏向する磁界を発生させる偏向ヨーク部と、この偏向ヨーク部によって発生された磁界で電子ビームを偏向することにより、信号処理手段で生成された映像信号を映像表示する表示手段とを具備し、
偏向ヨーク部は、
画面上における垂直横方向ミスコンバージェンスを補正するための第１及び第２のコマコイルと、コアに巻回され第１及び第２のコマコイルが発生する磁界を通過した電子ビームを垂直方向に偏向する第１及び第２の主コイルと、コアに巻回され第１及び第２のコマコイルが発生する磁界を通過した電子ビームを垂直方向に偏向する第１及び第２の副コイルと、第１及び第２の主コイルに鋸歯状の偏向電流を流す第１の偏向電流供給手段と、この第１の偏向電流供給手段によって第１及び第２の主コイルに供給される偏向電流を、相互に逆向きに並列接続された第１及び第２のダイオードを介して第１及び第２の副コイルに供給する第２の偏向電流供給手段とを備えるようにしたものである。
【００１５】
上記のような構成によれば、コアに、第１及び第２の主コイルの他に、第１及び第２のコマコイルが発生する磁界を通過した電子ビームを垂直方向に偏向する第１及び第２の副コイルを備え、第１及び第２の主コイルに供給される偏向電流を、相互に逆向きに並列接続された第１及び第２のダイオードを介して第１及び第２の副コイルに供給するようにしたので、簡易な構成でＹ軸横方向ミスコンバージェンスＹＨを実用上十分なレベルにまで補正することが可能となり、画質の向上を図ることができる。
【００１６】
【発明の実施の形態】
以下、この発明の第１の実施の形態について図面を参照して詳細に説明する。図１は、この第１の実施の形態で説明するテレビジョン受信装置を示している。すなわち、アンテナ１１は、テレビジョン放送信号を受信してチューナ部１２に出力している。
【００１７】
このチューナ部１２は、入力されたテレビジョン放送信号から所望の放送チャンネルのテレビジョン信号を選局する。このチューナ部１２は、選局したテレビジョン信号を映像復調処理部１３と同期検出部１４とに供給している。
【００１８】
この映像復調処理部１３は、入力されたテレビジョン信号から映像成分を抽出し、復調処理を施した後、ドライブ部１５を介してＣＲＴ（Ｃａｔｈｏｄｅ  Ｒａｙ  Ｔｕｂｅ）１６に出力している。
【００１９】
また、同期検出部１４は、入力されたテレビジョン信号から水平及び垂直の各同期成分を抽出し、偏向電流生成部１７に出力している。この偏向電流生成部１７は、入力された水平及び垂直の各同期成分から、水平及び垂直の各偏向電流を生成し、ＣＲＴ１６の偏向ヨーク部１８に出力している。
【００２０】
そして、偏向電流生成部１７が出力した水平及び垂直の各偏向電流が、偏向ヨーク部１８の水平偏向コイル及び垂直偏向コイルにそれぞれ供給されることによって、ドライブ部１５から出力された映像信号がＣＲＴ１６に映像表示されるようになる。
【００２１】
図２は、偏向ヨーク部１８の外観を示している。この偏向ヨーク部１８は、主として、略喇叭状に形成されたセパレータ１９と、このセパレータ１９の内側に設置された水平偏向コイル（図では見えない）と、セパレータ１９の外側でコア２０に直接巻線された、トロイダル型の垂直偏向コイル２１とから構成されている。
【００２２】
また、この偏向ヨーク部１８のセパレータ１９には、画面上で上下に対応する位置に一対のコマコイル２２，２３が設置されている。さらに、この偏向ヨーク部１８のセパレータ１９には、水平偏向コイル、垂直偏向コイル２１及びコマコイル２２，２３を電気的に接続するとともに、これらのコイルに外部から電流を供給するための端子板２４が設置されている。
【００２３】
図３は、コア２０に巻線されたトロイダル型の垂直偏向コイル２１を、ＣＲＴ１６のパネル面側から見た状態を示している。なお、ＣＲＴ１６のパネル面上において、垂直方向をＹ軸、水平方向をＸ軸としている。
【００２４】
すなわち、コア２０をＸ−Ｙ平面側から見た状態において、上記垂直偏向コイル２１は、コア２０をＹ軸方向に２分した上側の部分に巻回され、画面上側の垂直偏向を司る上側垂直偏向コイル２５と、コア２０をＹ軸方向に２分した下側の部分に巻回され、画面下側の垂直偏向を司る下側垂直偏向コイル２６とから構成されている。
【００２５】
そして、上側垂直偏向コイル２５は、コア２０をＹ軸方向に２分した上側の部分の略全体に渡って巻回される上側主コイル２５ａと、コア２０をＹ軸方向に２分した上側の部分のうち、コア２０をＸ軸方向に２分するＹ軸の近傍にのみ巻回される上側副コイル２５ｂとから構成されている。
【００２６】
この場合、先に上側主コイル２５ａを巻き、その上層に上側副コイル２５ｂを巻回する構成となっている。上側主コイル２５ａは、上側副コイル２５ｂが巻回される部分については巻密度が粗になっており、図３では、Ｙ軸を横切る走り部２５ｃが存在するのみとなっている。そして、この走り部２５ｃの上から上側副コイル２５ｂが巻回されている。
【００２７】
ここで、上側主コイル２５ａは、その両端部が端子２５ａ１，２５ａ２を介して、上記端子板２４に電気的に接続されている。また、上側副コイル２５ｂは、その両端部が端子２５ｂ１，２５ｂ２を介して、上記端子板２４に電気的に接続されている。
【００２８】
一方、下側垂直偏向コイル２６は、コア２０をＹ軸方向に２分した下側の部分の略全体に渡って巻回される下側主コイル２６ａと、コア２０をＹ軸方向に２分した下側の部分のうち、コア２０をＸ軸方向に２分するＹ軸の近傍にのみ巻回される下側副コイル２６ｂとから構成されている。
【００２９】
この場合、先に下側主コイル２６ａを巻き、その上層に下側副コイル２６ｂを巻回する構成となっている。下側主コイル２６ａは、下側副コイル２６ｂが巻回される部分については巻密度が粗になっており、図３では、Ｙ軸を横切る走り部２６ｃが存在するのみとなっている。そして、この走り部２６ｃの上から下側副コイル２６ｂが巻回されている。
【００３０】
ここで、下側主コイル２６ａは、その両端部が端子２６ａ１，２６ａ２を介して、上記端子板２４に電気的に接続されている。また、下側副コイル２６ｂは、その両端部が端子２６ｂ１，２６ｂ２を介して、上記端子板２４に電気的に接続されている。
【００３１】
図４は、上記コマコイル２２，２３，上側垂直偏向コイル２５及び下側垂直偏向コイル２６の電気的接続状態の一例を示している。すなわち、２つの電源端子２７，２８間に、上側主コイル２５ａ、下側主コイル２６ａ、抵抗Ｒ１、Ｒ２、コマコイル２３の一部であるＶＣＲコイル２３ａ、コマコイル２２の一部であるＶＣＲコイル２２ａとが、直列に接続されている。
【００３２】
そして、下側主コイル２６ａ及び抵抗Ｒ１の接続点は、上側副コイル２５ｂの一端に接続されている。また、抵抗Ｒ１、Ｒ２の接続点は、下側副コイル２６ｂの一端に接続されている。そして、上側副コイル２５ｂの他端と下側副コイル２６ｂの他端との間には、ダイオードＤ１，Ｄ２が相互に逆方向になるように並列接続されている。
【００３３】
また、上記抵抗Ｒ２には、図示極性のダイオードＤ３及びコマコイル２２の一部であるＹＨコイル２２ｂとの直列回路と、図示極性のダイオードＤ４及びコマコイル２３の一部であるＹＨコイル２３ｂとの直列回路とが、並列に接続されている。
【００３４】
さらに、抵抗Ｒ２及びＶＣＲコイル２３ａの接続点は、可変抵抗ＶＲ１の一端に接続され、ＶＣＲコイル２２ａ及び電源端子２８の接続点は、可変抵抗ＶＲ１の他端に接続されている。そして、ＶＣＲコイル２２ａ，２３ａの接続点は、抵抗Ｒ３を介して、可変抵抗ＶＲ１の可動接点に接続されている。
【００３５】
上記のような構成となされた偏向ヨーク部１８において、ＣＲＴ１６の電子銃から発射された電子ビームは、垂直偏向について言えば、コマコイル２２，２３が発生する磁界内を通った後、上側主コイル２５ａ、下側主コイル２６ａ、上側副コイル２５ｂ及び下側副コイル２６ｂが発生する磁界内を通って、ＣＲＴ１６の蛍光面に到達する。
【００３６】
このため、Ｙ軸横方向ミスコンバージェンスＹＨの修正については、ＹＨコイル２２ｂ，２３ｂ、上側主コイル２５ａ、下側主コイル２６ａ、上側副コイル２５ｂ及び下側副コイル２６ｂによって行なわれる。なお、これらのコイルの他に磁石等が配設されていれば、その影響も受けることはもちろんである。
【００３７】
ここで、垂直偏向コイル２１に垂直周期に同期した鋸歯状の偏向電流を供給すべく、電源端子２７，２８間に所定の電圧を印加した場合、上側主コイル２５ａ及び下側主コイル２６ａに流れる電流ｉ１は、図５に実線で示すような特性を有し、上側副コイル２５ｂ及び下側副コイル２６ｂに流れる電流ｉ２は図５に点線で示すような特性を有する。
【００３８】
すなわち、上側主コイル２５ａ及び下側主コイル２６ａには、鋸歯状特性の電流ｉ１が流れ、上側副コイル２５ｂ及び下側副コイル２６ｂには、ダイオードＤ１，Ｄ２のオン，オフに応じて電流ｉ１と立ち上がりタイミングの異なる擬似鋸歯状特性の電流ｉ２が流れる。また、上記ＹＨコイル２２ｂ，２３ｂには、それぞれ、上側副コイル２５ｂ及び下側副コイル２６ｂに流れる電流ｉ２を半波整流したような電流が流れる。
【００３９】
このような状況において、コマコイル２２，２３が発生する磁界内を通過した電子ビームは、上側主コイル２５ａ及び下側主コイル２６ａが発生する樽形磁界と、ダイオードＤ１，Ｄ２のオン，オフ（スイッチング）制御により、上側副コイル２５ｂ及び下側副コイル２６ｂが発生する糸巻形磁界との力を受けることになる。
【００４０】
このダイオードＤ１，Ｄ２のオン，オフ期間によって、例えばオフ期間が長ければ、上側副コイル２５ｂ及び下側副コイル２６ｂによるＹ軸横方向ミスコンバージェンスＹＨの修正が、図６（ａ）に示すように、画面中央部から行なわれるようになる。これにより、垂直帰線期間にＹＨコイルに逆電流が誘導されることによって引き起こされる電流の波形崩れが原因で発生するＹ軸横方向ミスコンバージェンスＹＨ［図６（ｂ）参照］を、実用上十分なレベルで修正することが可能となる。
【００４１】
このため、上側主コイル２５ａ及び下側主コイル２６ａの磁界分布の設計と、上側副コイル２５ｂ及び下側副コイル２６ｂの磁界分布の設計と、ＹＨコイル２２ｂ，２３ｂの磁界分布の設計との組み合わせにより、特にＹＨコイル２２ｂ，２３ｂでのＹＨ修正量を極力減少させる方向で設計することにより、Ｙ軸横方向ミスコンバージェンスＹＨを、実用上十分なレベルで修正することができる。
【００４２】
なお、図３では、先に上側主コイル２５ａ及び下側主コイル２６ａを巻き、その上層に上側副コイル２５ｂ及び下側副コイル２６ｂを巻回する構成としたが、図７に示すように、先に上側副コイル２５ｂ及び下側副コイル２６ｂを巻き、その上層に上側主コイル２５ａ及び下側主コイル２６ａを巻回する構成としても良いものである。
【００４３】
この場合、上側主コイル２５ａ及び下側主コイル２６ａのうち、上側副コイル２５ｂ及び下側副コイル２６ｂの存在する部分を跨ぐ走り部２５ｃ，２６ｃは、上側副コイル２５ｂ及び下側副コイル２６ｂの上を横切ることになる。
【００４４】
この図７に示す巻き方によっても、図３に示した巻き方のものと同様な効果を得ることができる。
【００４５】
次に、図８は、この発明の第２の実施の形態を示している。図８において、図７と同一部分には同一符号を付して説明すると、上側主コイル２５ａと上側副コイル２５ｂとを一本の導線で巻回し、下側主コイル２６ａと下側副コイル２６ｂとを一本の導線で巻回するようにしたものである。
【００４６】
このうち、上側主コイル２５ａと上側副コイル２５ｂとについて言えば、上側副コイル２５ｂの巻き始め端２５ｂｓからコア２０に導線を所定の巻数だけ巻回して上側副コイル２５ｂを形成する。
【００４７】
その後、上側副コイル２５ｂの巻き終わり端２５ｂｆから導線を所定の長さだけ取り出して、上側主コイル２５ａの巻き始め端２５ａｓに導き、そこからコア２０に導線を所定の巻数だけ巻回して上側主コイル２５ａを形成して、巻き終わり端２５ａｆに到達させる。
【００４８】
また、下側主コイル２６ａと下側副コイル２６ｂとについて言えば、下側副コイル２６ｂの巻き始め端２６ｂｓからコア２０に導線を所定の巻数だけ巻回して下側副コイル２６ｂを形成する。
【００４９】
その後、下側副コイル２６ｂの巻き終わり端２６ｂｆから導線を所定の長さだけ取り出して、下側主コイル２６ａの巻き始め端２６ａｓに導き、そこからコア２０に導線を所定の巻数だけ巻回して下側主コイル２６ａを形成して、巻き終わり端２６ａｆに到達させる。
【００５０】
このような構成によれば、上側垂直偏向コイル２５について、上側副コイル２５ｂの巻き終わり端２５ｂｆと上側主コイル２５ａの巻き始め端２５ａｓとの接続部分２５ｂｆ／２５ａｓを同時にクランプして端子板２４に接続することができ、下側垂直偏向コイル２６についても、下側副コイル２６ｂの巻き終わり端２６ｂｆと下側主コイル２６ａの巻き始め端２６ａｓとの接続部分２６ｂｆ／２６ａｓを同時にクランプして端子板２４に接続することができるので、製造上有効となる。
【００５１】
図９は、図８に示した巻き方の上側垂直偏向コイル２５及び下側垂直偏向コイル２６に対する電気的接続状態の一例を示している。図９において、図４と同一部分には同一符号を付して説明すると、下側副コイル２６ｂの巻き終わり端２６ｂｆと下側主コイル２６ａの巻き始め端２６ａｓとの接続部分２６ｂｆ／２６ａｓを、抵抗Ｒ１の一端に接続し、下側主コイル２６ａの他端を電源端子２７に接続している。
【００５２】
また、上側副コイル２５ｂの巻き終わり端２５ｂｆと上側主コイル２５ａの巻き始め端２５ａｓとの接続部分２５ｂｆ／２５ａｓを、抵抗Ｒ１の他端に接続し、上側主コイル２５ａの他端を抵抗Ｒ２の一端に接続している。そして、下側副コイル２６ｂの他端と上側副コイル２５ｂの他端との間に、相互に逆方向になるようにダイオードＤ１，Ｄ２を並列接続している。
【００５３】
なお、図８では、先に上側副コイル２５ｂ及び下側副コイル２６ｂを巻き、その上から上側主コイル２５ａ及び下側主コイル２６ａを巻回する構成としたが、先に上側主コイル２５ａ及び下側主コイル２６ａを巻き、その上から上側副コイル２５ｂ及び下側副コイル２６ｂを巻回する構成としても良いものである。
【００５４】
すなわち、図１０に示すように、上側主コイル２５ａと上側副コイル２５ｂとについて言えば、上側主コイル２５ａの巻き始め端２５ａｓからコア２０に導線を所定の巻数だけ巻回して上側主コイル２５ａを形成する。
【００５５】
その後、上側主コイル２５ａの巻き終わり端２５ａｆから導線を所定の長さだけ取り出して、上側副コイル２５ｂの巻き始め端２５ｂｓに導き、そこからコア２０に導線を所定の巻数だけ巻回して上側副コイル２５ｂを形成して、巻き終わり端２５ｂｆに到達させる。
【００５６】
また、下側主コイル２６ａと下側副コイル２６ｂとについて言えば、下側主コイル２６ａの巻き始め端２６ａｓからコア２０に導線を所定の巻数だけ巻回して下側主コイル２６ａを形成する。
【００５７】
その後、下側主コイル２６ａの巻き終わり端２６ａｆから導線を所定の長さだけ取り出して、下側副コイル２６ｂの巻き始め端２６ｂｓに導き、そこからコア２０に導線を所定の巻数だけ巻回して下側副コイル２６ｂを形成して、巻き終わり端２６ｂｆに到達させる。
【００５８】
この図１０に示す巻き方によっても、図８に示した巻き方のものと同様な効果を得ることができる。
【００５９】
なお、この発明は上記した実施の形態そのままに限定されるものではなく、実施段階ではその要旨を逸脱しない範囲で構成要素を種々変形して具体化することができる。
【００６０】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００６１】
【発明の効果】
以上詳述したようにこの発明によれば、簡易な構成でＹ軸横方向ミスコンバージェンスＹＨを実用上十分なレベルにまで補正することを可能とした偏向ヨーク装置を提供することができる。また、この発明によれば、上記した偏向ヨーク装置を用いて画質の向上を図るようにしたテレビジョン受信装置を提供することができる。
【図面の簡単な説明】
【図１】この発明の第１の実施の形態を示すもので、テレビジョン受信装置を説明するために示すブロック構成図。
【図２】同テレビジョン受信装置における偏向ヨーク部の外観を説明するために示す斜視図。
【図３】同偏向ヨーク部における垂直偏向コイルの巻き方の一例を説明するために示す図。
【図４】同偏向ヨーク部における垂直偏向コイル及びコマコイルの電気的接続状態の一例を説明するために示す回路構成図。
【図５】同偏向ヨーク部における垂直偏向コイルに流れる電流の特性を説明するために示す図。
【図６】同偏向ヨーク部におけるＹ軸横方向ミスコンバージェンスＹＨの修正を説明するために示す図。
【図７】同偏向ヨーク部における垂直偏向コイルの巻き方の他の例を説明するために示す図。
【図８】この発明の第２の実施の形態を示すもので、同偏向ヨーク部における垂直偏向コイルの巻き方の一例を説明するために示す図。
【図９】同偏向ヨーク部における垂直偏向コイル及びコマコイルの電気的接続状態の一例を説明するために示す回路構成図。
【図１０】同偏向ヨーク部における垂直偏向コイルの巻き方の他の例を説明するために示す図。
【符号の説明】
１１…アンテナ、１２…チューナ部、１３…映像復調処理部、１４…同期検出部、１５…ドライブ部、１６…ＣＲＴ、１７…偏向電流生成部、１８…偏向ヨーク部、１９…セパレータ、２０…コア、２１…垂直偏向コイル、２２，２３…コマコイル、２４…端子板、２５…上側垂直偏向コイル、２６…下側垂直偏向コイル、２７，２８…電源端子。
【図１】
2004363047.tif 000003
【図２】
2004363047.tif 000004
【図３】
2004363047.tif 000005
【図４】
2004363047.tif 000006
【図５】
2004363047.tif 000007
【図６】
2004363047.tif 000008
【図７】
2004363047.tif 000009
【図８】
2004363047.tif 000010
【図９】
2004363047.tif 000011
【図１０】
2004363047.tif 000012